(57)【特許請求の範囲】
【請求項１】
マット本体の長手方向に沿って配列された複数のエアーバッグと、前記マット本体の長手方向と直交する方向に配置された対のエアーバッグと、エアーを供給するエアー供給装置と、このエアー供給装置からのエアーを前記複数のエアーバッグ及び前記対のエアーバッグに切り替えて給気するとともに、給気中でないエアーバッグを排気状態とするエアー分配装置と、このエアー分配装置の切り換えを制御して前記複数のエアーバッグ及び前記対のエアーバッグの膨縮を制御する制御装置とを備え、
前記複数のエアーバッグ及び前記対のエアーバッグがベースボード上に配置され、このベースボードに前記対のエアーバッグを固定するための可撓性の固定板が取り付けられ、前記対のエアーバッグは前記長手方向と直交する方向の中央位置側の縁部がその中央位置の近傍で前記固定板に固定され、且つ、その中央位置と反対側の縁部がフリーとされて膨縮自在であることを特徴とするエアーマッサージ装置。
【請求項２】
マット本体の長手方向に沿って配列された複数のエアーバッグと、前記マット本体の長手方向と直交する方向に配置された対のエアーバッグと、エアーを供給するエアー供給装置と、このエアー供給装置からのエアーを前記複数のエアーバッグ及び前記対のエアーバッグに切り替えて給気するとともに、給気中でないエアーバッグを排気状態とするエアー分配装置と、このエアー分配装置の切り換えを制御して前記複数のエアーバッグ及び前記対のエアーバッグの膨縮を制御する制御装置とを備え、
前記対のエアーバッグが前記複数のエアーバッグの上に重ねて設けられ、
前記複数のエアーバッグ及び前記対のエアーバッグがベースボード上に配置され、このベースボードに前記対のエアーバッグを固定するための可撓性の固定板が取り付けられ、前記対のエアーバッグは前記長手方向と直交する方向の中央位置側の縁部がその中央位置の近傍で前記固定板に固定され、且つ、その中央位置と反対側の縁部がフリーとされて膨縮自在であり、前記固定板は前記複数のエアーバッグのうちの隣接する２つのエアーバッグの間を通して前記ベースボードに取り付けられていることを特徴とするエアーマッサージ装置。
【発明の詳細な説明】
【０００１】
【産業上の利用分野】
この発明は、マット本体に複数のエアーバッグを設けたエアーマッサージ装置に関する。
【０００２】
【従来の技術】
従来から、エアーマッサージ装置として、マット本体の長手方向に沿って、その長手方向と直交する方向に平行となるように長方形状のエアーバッグを複数配列したものが知られている。このようなエアーマッサージ装置では、その複数のエアーバッグを膨張・収縮させることにより、エアーバッグ上に横たわる使用者の背面側を刺激してマッサージするようになっている。
【０００３】
【発明が解決しようとする課題】
しかしながら、このようなエアーマッサージ装置にあっては、足から肩、首に向けて、あるいは、肩、首から足に向けて上記複数のエアーバッグを順番に膨張・収縮させることにより、全身を波状にマッサージすることはできるものの、身体を左右にひねるようなマッサージの効果を得ることができなかった。
【０００４】
本発明は、上記の事情に鑑みて為されたもので、身体を左右にひねることによるマッサージ効果を得ることのできるエアーマッサージ装置を提供することを課題としている。
【０００５】
【課題を解決するための手段】
マット本体の長手方向に沿って配列された複数のエアーバッグと、前記マット本体の長手方向と直交する方向に配置された対のエアーバッグと、エアーを供給するエアー供給装置と、このエアー供給装置からのエアーを前記複数のエアーバッグ及び前記対のエアーバッグに切り替えて給気するとともに、給気中でないエアーバッグを排気状態とするエアー分配装置と、このエアー分配装置の切り換えを制御して前記複数のエアーバッグ及び前記対のエアーバッグの膨縮を制御する制御装置とを備え、
前記複数のエアーバッグ及び前記対のエアーバッグがベースボード上に配置され、このベースボードに前記対のエアーバッグを固定するための可撓性の固定板が取り付けられ、前記対のエアーバッグは前記長手方向と直交する方向の中央位置側の縁部がその中央位置の近傍で前記固定板に固定され、且つ、その中央位置と反対側の縁部がフリーとされて膨縮自在であることを特徴とする。
【０００６】
請求項２の発明は、マット本体の長手方向に沿って配列された複数のエアーバッグと、前記マット本体の長手方向と直交する方向に配置された対のエアーバッグと、エアーを供給するエアー供給装置と、このエアー供給装置からのエアーを前記複数のエアーバッグ及び前記対のエアーバッグに切り替えて給気するとともに、給気中でないエアーバッグを排気状態とするエアー分配装置と、このエアー分配装置の切り換えを制御して前記複数のエアーバッグ及び前記対のエアーバッグの膨縮を制御する制御装置とを備え、
前記対のエアーバッグが前記複数のエアーバッグの上に重ねて設けられ、
前記複数のエアーバッグ及び前記対のエアーバッグがベースボード上に配置され、このベースボードに前記対のエアーバッグを固定するための可撓性の固定板が取り付けられ、前記対のエアーバッグは前記長手方向と直交する方向の中央位置側の縁部がその中央位置の近傍で前記固定板に固定され、且つ、その中央位置と反対側の縁部がフリーとされて膨縮自在であり、前記固定板は前記複数のエアーバッグのうちの隣接する２つのエアーバッグの間を通して前記ベースボードに取り付けられていることを特徴とする。
【００１１】
【発明の実施の形態】
以下、この発明に係るエアーマッサージ装置の実施の形態を図面に基づいて説明する。
【００１２】
図１および図２に示すエアーマッサージ装置１０は、マット本体１１を備えており、このマット本体１１の一端側（左端）には枕１２が着脱可能に装着され、その他端側（右端）には機械部１３が形成されている。
【００１３】
このマット本体１１は、図３ないし図５に示すように、２つ折りに曲げることができ、足をマット本体１１に固定するベルト１５によってマット本体１１を２つ折りにした状態に固定することができ、マット本体１１の側部１１Ａに設けた把手部１６によってマット本体１１を２つ折りにした状態で持ち運びができるようになっている。また、マット本体１１の側部１１Ａには電源コード１７とリモコン装置１８とが接続されている。マット本体１１の後端面１１Ｂには電源スイッチＳ1を設けたパネル１９が取り付けられている。
【００１４】
マット本体１１は、図６ないし図９に示すように、図中左右方向に延びるプラスチック段ボール製のベースボード２０と、このベースボード２０上に取り付けられたエアーバッグＢ１〜Ｂ１６と、このエアーバッグＢ１３〜Ｂ１６上に配置されたエアーバッグＢ１７，Ｂ１８と、これらエアーバッグＢ１〜Ｂ１８の上に載置されたヒータマットＨＭと、これらベースボード２０、エアーバッグＢ１〜Ｂ１８およびヒータマットＨＭ等を覆った袋状のカバーＭＣ（図１参照）等とから構成されている。カバーＭＣは表面が起毛されたポリエステル等から構成されている。ＭＫはヒータマットＨＭの上に取り付けられたクッション材であり、このクッション材ＭＫはヒータマットＨＭに設けたヒータ線(図示せず)が腰などに違和感を与えるのを防止するためのものである。
【００１５】
ベースボード２０の一側には一対の金属製のサイドフレーム２１，２１が所定距離離間して取り付けられており、同様に、その他側にも一対の金属製のサイドフレーム２２，２２が所定距離離間して取り付けられている。これらの離間によりマット本体１１の２つ折りが可能となっている。サイドフレーム２１は、図１０および図１１に示すように、断面Ｌ字形に形成されているとともにそのＬ字形の基部２１ＡがネジＮ１によってベースボード２０の裏面に固定されている。サイドフレーム２２も同様であり、その説明は省略する。
【００１６】
各サイドフレーム２１，２１，２２，２２には、樹脂製のフレーム２３，２３，２４，２４がそれぞれ取り付けられており、各フレーム２３，２４の内側には凹部２３Ａ，２４Ａがそれぞれ形成されていてフレーム２３，２４は断面形状がコ字状となっている。また、各フレーム２３，２４の上部の外側は大きなＲ状に形成されている。フレーム２３，２４は、サイドフレーム２１，２２およびベースボード２０の側端部に複数のインシュロックタイ２５によって固定されている。各インシュロックタイ２５はベースボード２０に設けた各孔２０Ｐにそれぞれ通されて結ばれている。
【００１７】
また、このインシュロックタイ２５によって各フレーム２３，２４の凹部２３Ａ，２４Ａ内に配置したホース束ＨＡ，ＨＢがその凹部２３Ａ，２４Ａから出るのを防止している。
【００１８】
ヒータマットＨＭの端部にはゴムヒモ２６が固定されており、このゴムヒモ２６がインシュロックタイ２５に取り付けられている。これは、エアーバッグの膨張・収縮によってヒータマットＨＭが上下動する際にヒータマットＨＭに加わるストレスをゴムヒモ２６の伸縮によって吸収するとともに、ヒータマットＨＭの前後左右のずれをそのゴムヒモ２６によって防止するものである。
【００１９】
フレーム２３，２３の上には、各フレーム２３，２３の上を手で触ったときの硬い感触を和らげるために１つのサイドクッション部材２７が貼り付けられている。フレーム２４，２４の上にも同様に１つのサイドクッション部材２７が貼り付けられている。
【００２０】
エアーバッグＢ１は、図１２に示すように、長方形状を呈する袋体Ｂａと、この袋体Ｂａの一端に設けた口部Ｂｂに取り付けたＬ字管３０と、袋体Ｂａの一側に設けた一対の取付部３１，３１とを備えている。各取付部３１には一対の孔３１ａ，３１ａが形成されている。他のエアーバッグＢ２〜Ｂ１８も同様な構成となっており、その形状や大きさもエアーバッグＢ１と同一となっている。
【００２１】
エアーバッグＢ１〜Ｂ１６は、取付部３１をネジなどによりベースボード２０に固定することによって取り付けられており、図６に示すように、マット本体１１の長手方向である縦方向に沿って配列されるとともに、その縦方向と直交する横方向に平行に配置されている。しかも、各エアーバッグＢ１〜Ｂ１６の向きが交互に反対方向に向けられている。また、各エアーバッグＢ１〜Ｂ１６の取り付けピッチは、エアーバッグＢの幅Ｗ（図１２参照）より小さく設定され、各エアーバッグＢ１〜Ｂ１６の一部が互いに重なり合っている。
【００２２】
各エアーバッグＢ１〜Ｂ１６の口部Ｂｂに取り付けたＬ字管３０はその口部Ｂｂに対して回動可能となっている。これは、Ｌ字管３０の凹部(図示せず)が口部Ｂｂの凹部３２に合わせられていて回動可能となっており、その凹部３２に巻き付けたインシュロックタイ３３によってＬ字管３０が口部Ｂｂからの抜けを防止している。
【００２３】
各エアーバックＢ１〜Ｂ１６の口部Ｂｂの各Ｌ字管３０には図１６に示すようにホースＨ１〜Ｈ１６の一端が接続されている。このホースＨ１，Ｈ３，…，Ｈ１５の他端がマット本体１１の機械部１３に設けた第１ロータリーバルブ４１の給気口(図示せず)にそれぞれ接続されている。また、ホースＨ２，Ｈ４，…，Ｈ１６の他端がマット本体１１の機械部１３に設けた第２ロータリーバルブ４２の給気口(図示せず)にそれぞれ接続されている。
【００２４】
そして、ホースＨ１，Ｈ３，…，Ｈ１５はいくつか（又は場所によっては全部）が集まってフレーム２３の凹部２３Ａ内に配設され、ホースＨ２，Ｈ４，…，Ｈ１６はいくつか（又は場所によっては全部）が集まってフレーム２４の凹部２４Ａ内に配設されている。なお、凹部２３Ａ（２４Ａ）内に配設されるホースＨ１，Ｈ３，…，Ｈ１５（Ｈ２，Ｈ４，…，Ｈ１６）の数は場所によって異なるので、図１０では説明の便宜上各ホースＨ１，Ｈ３，…，Ｈ１５（Ｈ２，Ｈ４，…，Ｈ１６）の符号を省略してホース束ＨＡ（ＨＢ）として説明している。
【００２５】
エアーバッグＢ１７，Ｂ１８は、マット本体１１の横方向中央位置（図６において直線Ｃで示す位置。以下、単に「センター」ともいう。）に対して対称となるように、且つ、他のエアーバッグＢ１〜Ｂ１６と直交するように縦方向に平行に配置されている。また、エアーバッグＢ１７，Ｂ１８は、図１３および図１４に示すように、エアーバッグＢ１７の取付部３１，３１とエアーバッグＢ１８の取付部３１，３１とを重ね合わせて、その取付部３１，３１の孔３１ａ，３１ａにインシュロックタイ３５を通すとともに可撓性を有する固定板１４の上板３６の孔(図示せず)に通すことにより、上板３６に固定されている。この上板３６はエアーバッグＢ１３〜Ｂ１６の上に載置される。上板３６の裏面には、図１５に示すように、上板３６と同材質で固定板１４をなす下板３７の後部３７Ａがインシュロックタイ３８によって固定されている。
【００２６】
下板３７は、後部３７Ａから前方（図１５において左方向）に向けて斜め下方に延びた傾斜部３７Ｂと、この傾斜部３７Ｂから前方へ延びた先端部３７Ｃとを有し、傾斜部３７ＢがエアーバッグＢ１５とエアーバッグＢ１６との間に配置され、先端部３７ＣがエアーバッグＢ１６の取付部３１，３１間の下側を通ってベースボード２０にネジＮ２によって取り付けられている。
【００２７】
このように、固定板１４の下板３７の先端部３７ＣがエアーバッグＢ１６の取付部３１，３１間の下側を通っており、しかも傾斜部３７ＢがエアーバッグＢ１５とエアーバッグＢ１６との間に配置されているので、下板３７がエアーバッグＢ１６の膨縮を規制してしまうことが防止され、強い押圧力が要求される首部をエアーバッグＢ１６の膨張によって充分に押圧することが可能となる。また、固定板１４をなす上板３６および下板３７は幅が狭く形成されており、しかも可撓性を有するので、エアーバッグＢ１３〜Ｂ１５の膨縮の規制が最小限に抑えられ、これらのエアーバッグによるマッサージ効果が低減することが抑制される。
【００２８】
マット本体１１の機械部１３には、図示しないケースが設けられており、このケース内に、図６に示すように、エアー供給装置としてのコンプレッサ４０と、第１，第２ロータリーバルブ４１，４２と、電磁弁４３，４４と、回路基板４５とが設けられている。回路基板４５にはコンプレッサ４０、第１，第２ロータリーバルブ４１，４２、および電磁弁４３，４４を制御する制御回路５０が設けられている。ここでは、エアー分配装置はその第１，第２ロータリーバルブ４１，４２および電磁弁４３，４４により構成され、制御装置の役割は制御回路５０が担う。
【００２９】
コンプレッサ４０は、図１６に示すように、電磁弁４３を介して第１ロータリーバルブ４１に連通し、電磁弁４４を介して第２ロータリーバルブ４２に連通している。
【００３０】
第１ロータリーバルブ４１は、エアーバッグＢ１，Ｂ３，…，Ｂ１５，Ｂ１７に一端が接続されたホースＨ１，Ｈ３，…，Ｈ１５，Ｈ１７の他端が接続された９つの給気口４１ａ〜４１ｉと、９つの給気口４１ａ〜４１ｉのうち１つの給気口に電磁弁４３を連通させる回転体(図示せず)とを備えており、この回転体が回転することにより電磁弁４３に連通する給気口４１ａ〜４１ｉが切り換っていくようになっている。また、電磁弁４３に連通した給気口４１ａ〜４１ｉ以外の給気口は外気と連通し、外気に連通した給気口に対応したエアーバッグＢ１，Ｂ３，…，Ｂ１５，Ｂ１７が排気状態となる。例えば、電磁弁４３が回転体により給気口４１ａに連通されると、エアーバッグＢ1にエアーが給気されてエアーバッグＢ1が膨張していき、他のエアーバッグＢ３，Ｂ５，…，Ｂ１５，Ｂ１７は排気される。
【００３１】
第２ロータリーバルブ４２は、上記と同様に９つの給気口４２ａ〜４２ｉと、回転体(図示せず)とを備えている。給気口４２ａ〜４２ｉには一端がエアーバッグＢ２，Ｂ４，…，Ｂ１６，Ｂ１８に接続されたホースＨ２，Ｈ４，…，Ｈ１６，Ｈ１８の他端が接続されている。第２ロータリーバルブ４２は第１ロータリーバルブ４１と全く同一の構成となっているので、その説明は省略する。
【００３２】
リモコン装置１８は図１７に示すように操作部１８Ａを有し、この操作部１８Ａには電源スイッチ５１と、膨縮するエアーバッグ（Ｂ１〜Ｂ１６）が足から首へ移動するＡコース、首から足へ移動するＢコースのいずれかを選択するコーススイッチ５２と、全身、上半身、下半身のマッサージの範囲を選択する選択スイッチ５３と、さすりモードを選択するさすりスイッチ５４と、ひねりモードを選択するひねりスイッチ５５と、１つのエアーバッグを選択するポイントスイッチ５６と、４つのエアーバッグを選択する部分スイッチ５７と、マッサージの強弱を設定する強さスイッチ５８と、身長に合わせてエアーバッグ（Ｂ１〜Ｂ１６）の膨縮範囲を３段階に切り換える切換スイッチ５９と、ヒータスイッチ６０とが設けられている。
【００３３】
次に、上記のように構成されるエアーマッサージ装置の動作について説明する。
【００３４】
まず、電源スイッチ５１を投入するとコンプレッサ４０が駆動される。そして、例えばコーススイッチ５２によりＡコースを設定し、選択スイッチ５３により全身を選択し、さすりスイッチ５４によりさすりモードを設定すると、電磁弁４３が開成されてロータリーバルブ４１の切換によりエアーバッグＢ１と電磁弁４３とが連通され（このとき電磁弁４４は閉成されている）、エアーバッグＢ１のみに給気が行われエアーバッグＢ１が膨張していく。
【００３５】
そして、図１８に示すように、エアーバッグＢ１の給気期間（給気時間）Ｔ１の途中の時点ｔ１で電磁弁４４が開成されるとともにロータリーバルブ４２の切換によりエアーバッグＢ２と電磁弁４４とが連通され、エアーバッグＢ２に給気が行われてエアーバッグＢ２が膨張していく。
【００３６】
給気期間Ｔ１が時点ｔ２で終了すると第１ロータリーバルブ４１の回転体が回転されていくとともに電磁弁４３が閉成されてエアーバッグＢ１の給気が停止される。そして、第１ロータリーバルブ４１の回転体の回転中は全てのエアーバッグＢ１，Ｂ３，…，Ｂ１７は外気と連通されるので、この回転中エアーバッグＢ１の排気が行われていく。第１ロータリーバルブ４１の切換えが完了した後、すなわち、エアーバッグＢ２の給気期間（給気時間）Ｔ２（＝Ｔ１）の途中の時点ｔ３で電磁弁４３が開成され、この電磁弁４３とエアーバッグＢ３が連通されてエアーバッグＢ３が膨張されていく。この電磁弁４３とエアーバッグＢ３が連通しているとき、他のエアーバッグＢ１，Ｂ５，…，Ｂ１７は外気と連通されるので、エアーバッグＢ１の排気は続行されることになる。
【００３７】
そして、給気期間Ｔ２が時点ｔ４で終了すると、第２ロータリーバルブ４２の回転体が回転されていくとともに電磁弁４４が閉成され、エアーバッグＢ２の給気が停止されるとともにエアーバッグＢ２の排気が行われていく。第２ロータリーバルブ４２の切換えが完了した後、すなわち、エアーバッグＢ３の給気期間Ｔ１の途中の時点ｔ５で電磁弁４４が開成され、この電磁弁４４とエアーバッグＢ４が連通されてエアーバッグＢ４が膨張されていく。このとき、他のエアーバッグＢ２，Ｂ６，…，Ｂ１６は排気される。
【００３８】
以後、これら動作が繰り返し行われていき、エアーバッグＢ１〜Ｂ１６が順番に膨張されていくとともにこの膨張後収縮されていくので、これらエアーバッグＢ１〜Ｂ１６の膨縮によって波が形成され、この波が足から首に向けて移動していくことになる。各エアーバッグＢ１〜Ｂ１６の取り付けピッチは、エアーバッグＢの幅Ｗより小さく設定され、各エアーバッグＢ１〜Ｂ１６の一部が互いに重なり合っているので、その波の移動がスムーズに行われる。
【００３９】
ところで、この発明の実施の形態によれば、一のエアーバッグの収縮を待たずに次のエアーバッグを膨張させており、しかも、エアーバッグＢ１，Ｂ３，…，Ｂ１５の給気期間Ｔ１とエアーバッグＢ２，Ｂ４，…，Ｂ１６の給気期間Ｔ２とを一部ラップさせているので、その波の移動速度はかなり速いものとなる。このため、全身を手でさすっていくようなさすり効果を十分に得ることができる。
【００４０】
また、各エアーバッグＢの給気時間Ｔ１を、エアーバッグＢが膨張したときに身体が持ち上がる高さが１０mm以下になるように設定すると、身体全体に弱いリズミカルな刺激を与えることができ、より治癒力を高めることができる。
【００４１】
また、この実施の形態においては、第１，第２ロータリーバルブ４１，４２の切換動作を期間Ｔ３，Ｔ４（＝Ｔ３）内に行うようにしている。すなわち、第１，第２ロータリーバルブ４１，４２の切換動作の時間を期間Ｔ３，Ｔ４より短く設定しており、このため、次の給気動作に移行できるように第１，第２ロータリーバルブ４１，４２は待機することができ、その給気動作に速やかに移行することができる。また、第１，第２ロータリーバルブ４１，４２の切換動作を給気期間Ｔ３，Ｔ４内に行うようにしているので、第１，第２ロータリーバルブ４１，４２の切換時のロスがなくなり、エアーバッグＢ１〜Ｂ１６の膨縮のスピードをアップさせることができる。
【００４２】
さらに、第１，第２ロータリーバルブ４１，４２と電磁弁４３，４４とでエアー分配装置を構成しているので、そのエアー分配装置の構成が簡単なものとなり、２つのロータリーバルブ４１，４２を交互に均等に使用することにより、ロータリーバルブの負担を軽減させてその寿命を延ばすことができる。
【００４３】
次に、上記のさすりモードとひねりモードを設定すると、エアーバッグＢ１５，Ｂ１６の膨縮が行われた後、電磁弁４３が開成されるとともに電磁弁４４が閉成され、第１ロータリーバルブ４１の切換によってエアーバッグＢ１７に給気が行われていく。このとき、第２ロータリーバルブ４２の回転体は全てのエアーバッグＢ２，Ｂ４，…，Ｂ１６，Ｂ１８が排気となる位置に移動される。
【００４４】
エアーバッグＢ１７は給気により膨張していくが、その給気時間はさすりモードの給気期間Ｔ１，Ｔ２よりも長く設定されており、このため、エアーバッグＢ１７は最大限まで膨張されていく。エアーバッグＢ１７はマット本体１１のセンター側が固定されているので、その反対側であるエアーバッグＢ１７のフリー側が大きく膨張し、この結果、使用者の上半身が右側に大きくひねられていく。
【００４５】
この膨張後、電磁弁４３が閉成され且つ電磁弁４４が開成され、第２ロータリーバルブ４２の切換によってエアーバッグＢ１８に給気が行われていく。このとき、第１ロータリーバルブ４１の回転体は全てのエアーバッグＢ１，Ｂ３，…，Ｂ１７が排気となる位置に移動される。
【００４６】
エアーバッグＢ１８も上記と同様に最大限まで膨張されていき、このエアーバッグＢ１８もマット本体１１のセンター側が固定されていることにより、エアーバッグＢ１８のフリー側が大きく膨張していき、使用者の上半身が上記と反対側（左側）へ大きくひねられていく。
【００４７】
この後、さすりモードに入り、さすりモードとひねりモードが繰り返し行われていく。
【００４８】
ひねりスイッチ５５によりひねりモードを設定すると、上記の波状のマッサージによる「さすり」は行われず、エアーバッグＢ１７，Ｂ１８のみが交互に膨縮してなされるひねりのマッサージだけが続行される。
【００４９】
この実施の形態に係るエアーマッサージ装置１０では、縦方向に沿って配列された複数のエアーバッグＢ１〜Ｂ１６に加えて、横方向中央位置に対して対称となるように対のエアーバッグＢ１７，Ｂ１８が配置されているので、波状のマッサージ効果に加えてひねりによるマッサージ効果を得ることができる。その対のエアーバッグＢ１７，Ｂ１８はエアーバッグＢ１３〜Ｂ１６の上に重ねて設けられているので、エアーバッグＢ１７，Ｂ１８の膨縮がエアーバッグＢ１〜Ｂ１６の存在により妨げられず、エアーバッグＢ１７，Ｂ１８によるひねりのマッサージ効果が損なわれない。
【００５０】
また、エアーバッグＢ１７，Ｂ１８のうち一方のエアーバッグＢ１７が一のロータリーバルブ４１に連結され、且つ、他方のエアーバッグＢ１８が他のロータリーバルブ４２に連結されているので、対のエアーバッグＢ１７，Ｂ１８を交互に膨縮させる際にそれぞれの膨縮を独立に制御することができ、ひねりの動作を素早く行わせることができる。
【００５１】
なお、以上ではエアーバッグＢ１７，Ｂ１８がエアーバッグＢ１３〜Ｂ１６の上に重ねて設けられている構成について説明したが、さすりモードを使用する頻度が極めて高い場合等には、対のエアーバッグＢ１７，Ｂ１８が複数のエアーバッグＢ１〜Ｂ１６のいずれかの下に重ねて設けられていてもよい。このような場合には、複数のエアーバッグの膨縮が対のエアーバッグＢ１７，Ｂ１８の存在により妨げられず、複数のエアーバッグによる波状のマッサージ効果が損なわれない。また、上記の実施の形態では背部のみに対のエアーバッグが配置されていたが、対のエアーバッグがさらに腰部に配置されていてもかまわない。
【００５６】
【発明の効果】
以上説明したように、請求項１の発明によれば、複数のエアーバッグ上に配置される対のエアーバッグが固定された固定板が可撓性を有するので、複数のエアーバッグの膨縮による波状のマッサージ効果が対のエアーバッグの取付構造により阻害されることが抑制される。また、その対のエアーバッグは横方向の中央位置側の縁部がその中央位置の近傍で固定板に固定され、且つ、その中央位置と反対側の縁部がフリーとされて膨縮自在であるので、対のエアーバッグの中央位置側は膨張しにくくなる一方その反対側は膨張しやすくなり、ひねりの動作を大きく行わせることができる。
【００５７】
請求項２の発明によれば、対のエアーバッグが固定された固定板は複数のエアーバッグのうちの隣接する２つのエアーバッグの間を通してベースボードに取り付けられているので、例えば複数のエアーバッグのうち首部をマッサージするエアーバッグの下を通して固定板がベースボードに取り付けられることにより、そのエアーバッグによる首部のマッサージが固定板により妨げられず首部を強くマッサージすることができる。
【図面の簡単な説明】
【図１】この発明に係るエアマッサージ装置を示した平面図である。
【図２】図１のエアマッサージ装置の側面図である。
【図３】マット本体を２つ折りに折り曲げた状態を示した説明図である。
【図４】２つ折りにしたマット本体をベルトによって固定した状態を示した説明図である。
【図５】図４に示すマット本体を持ち運ぶときの状態を示した説明図である。
【図６】カバーとヒータマットを省略したマット本体の平面図である。
【図７】図６に示すマット本体の側面図である。
【図８】カバーを省略したマット本体を示した平面図である。
【図９】図８に示すマット本体の側面図である。
【図１０】フレームの取り付け状態を示した断面図である。
【図１１】フレームの取り付け状態を示した斜視図である。
【図１２】エアーバックを示した平面図である。
【図１３】図６に示すマット本体の一部拡大図である。
【図１４】固定板補助板に取り付けたエアーバックを示した平面図である。
【図１５】固定板とエアーバックの配置関係を示した説明図である。
【図１６】エアーマッサージ装置の主要部の構成を示したブロック図である。
【図１７】リモコン装置を示した平面図である。
【図１８】エアーバックの給気期間を示したタイムチャートである。
【符号の説明】
１０  エアーマッサージ装置
１１  マット本体
２０  ベースボード
４０  コンプレッサ（エアー供給装置）
４１  第１ロータリーバルブ
４２  第２ロータリーバルブ
４３  電磁弁
４４  電磁弁
５０  制御回路
Ｂ１〜Ｂ１６  複数のエアーバッグ
Ｂ１７，Ｂ１８  対のエアーバッグ
【図１】
0003779102.tif 000002
【図２】
0003779102.tif 000003
【図３】
0003779102.tif 000004
【図４】
0003779102.tif 000005
【図５】
0003779102.tif 000006
【図６】
0003779102.tif 000007
【図７】
0003779102.tif 000008
【図８】
0003779102.tif 000009
【図９】
0003779102.tif 000010
【図１０】
0003779102.tif 000011
【図１１】
0003779102.tif 000012
【図１２】
0003779102.tif 000013
【図１３】
0003779102.tif 000014
【図１４】
0003779102.tif 000015
【図１５】
0003779102.tif 000016
【図１６】
0003779102.tif 000017
【図１７】
0003779102.tif 000018
【図１８】
0003779102.tif 000019